(57)【要約】【課題】赤外線を輻射する鉱石石板等で発汗して暖まりながら、電磁波や音波による治療乃至健康増進ができる簡便な岩盤浴装置を提供する。【解決手段】岩盤浴装置１は、寝台１１に敷いた鉱石石板及び陶器板の少なくとも何れかの板１３にそれを加熱する発熱器１２が取り付けられ、電気的な発振信号を生成する信号生成部とその信号を機械的な振動に変換する信号変換器とに接続されて電磁波及び／又は音波を発振する発振器１５又は１８と磁場発生器との少なくとも何れかが、該寝台１１を覆う保温フード１４及び／又は該板１３に、取り付けられている。【選択図】図１
2008188227.tif 000002
【特許請求の範囲】
【請求項１】
寝台に敷いた鉱石石板及び陶器板の少なくとも何れかの板にそれを加熱する発熱器が取り付けられ、電気的な発振信号を生成する信号生成部とその信号を機械的な振動に変換する信号変換器とに接続されて電磁波及び／又は音波を発振する発振器と磁場発生器との少なくとも何れかが、該寝台を覆う保温フード及び／又は該板に、取り付けられていることを特徴とする岩盤浴装置。
【請求項２】
前記信号生成器が、発振すべき前記電磁波及び／又は音波の周波数及び／又は強度のデータを記憶したメモリに接続され、そのデータを読み込んでそれに応じて前記信号を生成することを特徴とする請求項１に記載の岩盤浴装置。
【請求項３】
前記発振器が、異なる波長の複数の前記電磁波及び／又は音波を調和させて発振することを特徴とする請求項１又は２に記載の岩盤浴装置。
【請求項４】
前記電磁波が、電波、近赤外線、中赤外線、遠赤外線、可視光線、紫外線及び放射線から選ばれる少なくとも何れかであり、前記音波が、可聴音波及び超音波から選ばれる少なくとも何れかであることを特徴とする請求項１〜３の何れかに記載の岩盤浴装置。
【発明の詳細な説明】
【技術分野】
【０００１】
本発明は、鉱石製や陶器製の板を敷き詰めた岩盤浴用寝台に横臥し、そこから輻射される赤外線で暖まりつつ、寝台に向けて発振される電磁波や音波で治療する岩盤浴装置に関するものである。
【背景技術】
【０００２】
発汗により心身をリフレッシュしたり健康増進を図ったりするのに、近赤外線乃至遠赤外線の熱線を輻射する天然鉱石石板や陶器板を敷き詰めた寝台の上で寝る所謂岩盤浴が、クアハウス等で行われている。
【０００３】
このような岩盤浴は、熱いサウナや温泉よりも低温の暖かい板上で長時間かけてゆっくり発汗させるもので、心身に負担がかからず、リラックスできるというものである。岩盤浴を行う装置として、例えば特許文献１に、ヒーターで暖める天然石、人工石又は陶板と、電子静電場発生装置とを併せ持つ装置が、開示されている。
【０００４】
また、医薬品によらず治療を行う装置として、例えば特許文献２に、適応症に応じた音波振動を発生させることによって治療効果を得る医療装置が、開示されている。
【０００５】
しかし、クアハウスでのリフレッシュ乃至健康増進のための岩盤浴と、病院での音波振動による治療とを同時に行うことができない。両方を行うには、移動のための時間的・場所的制限を受ける。しかも移動の所為で相乗効果も期待できない。
【０００６】
【特許文献１】実用新案登録第３１２１６４５号公報
【特許文献２】特開平９−９４３０１号公報
【発明の開示】
【発明が解決しようとする課題】
【０００７】
本発明は前記の課題を解決するためになされたもので、赤外線を輻射する鉱石石板等で発汗して暖まりながら、電磁波や音波による治療乃至健康増進ができる簡便な岩盤浴装置を提供することを目的とする。
【課題を解決するための手段】
【０００８】
前記の目的を達成するためになされた特許請求の範囲の請求項１の岩盤浴装置は、寝台に敷いた鉱石石板及び陶器板の少なくとも何れかの板にそれを加熱する発熱器が取り付けられ、電気的な発振信号を生成する信号生成部とその信号を機械的な振動に変換する信号変換器とに接続されて電磁波及び／又は音波を発振する発振器と磁場発生器との少なくとも何れかが、該寝台を覆う保温フード及び／又は該板に、取り付けられていることを特徴とする。
【０００９】
請求項２に記載の岩盤浴装置は、請求項１に記載されたもので、前記信号生成器が、発振すべき前記電磁波及び／又は音波の周波数及び／又は強度のデータを記憶したメモリに接続され、そのデータを読み込んでそれに応じて前記信号を生成することを特徴とする。
【００１０】
請求項３に記載の岩盤浴装置は、請求項１又は２に記載されたもので、前記発振器が、異なる波長の複数の前記電磁波及び／又は音波を調和させて発振することを特徴とする。
【００１１】
請求項４に記載の岩盤浴装置は、請求項１〜３の何れかに記載されたもので、前記電磁波が、電波、近赤外線、中赤外線、遠赤外線、可視光線、紫外線及び放射線から選ばれる少なくとも何れかであり、前記音波が、可聴音波及び超音波から選ばれる少なくとも何れかであることを特徴とする。
【発明の効果】
【００１２】
本発明の岩盤浴装置を用いると、赤外線を輻射する鉱石石板等による温熱効果と、特定の周波数の電磁波や音波や磁場による治療効果とを、同時に効率よく得ることができる。特に赤外線輻射による温熱効果は、発汗と共に、皮下深部の体温上昇、末梢血管の拡張による血液循環の促進、血液や末梢細胞での新陳代謝の促進、体液中老廃物や毒素の排出、それに伴う肌の湿潤やダイエットのような美容向上、臓器や組織の活性化、熱ショックタンパクの生成による免疫力の向上をもたらす。また、発振される赤外線と共に特定の周波数の電磁波や音波の発振又は磁場の曝露による治療効果は、患部の治癒・改善、症状緩和、疲労回復、精神安定、リラックス、自律神経機能の調整、成長促進をもたらす。
【００１３】
それらの両効果の相乗作用により、遥かに短時間で所期の両効果を奏することができる。赤外線を輻射する鉱石製等の板による温熱だけではそれの所望の効果を得るのに１時間３０分を要し、特定の周波数を発振することによる治療だけではそれの所望の効果を得るのに１時間を要するのに対し、本発明の岩盤浴装置を用いると、所望の両効果を共に得るのに僅か３０分で済む。
【００１４】
そのため、この岩盤浴装置は、従来の装置以上に、病気の治療や予防、健康増進、美容向上の優れた効果を示す。
【発明を実施するための好ましい形態】
【００１５】
以下、本発明の岩盤浴装置を実施するための好ましい形態を詳細に説明するが、本発明の範囲はこれらの形態に限定されるものではない。
【００１６】
本発明を適用する岩盤浴装置１の使用途中の側面図である図１を参照しながら、説明する。
【００１７】
岩盤浴装置１は、寝台１１上に、天然鉱石石板１３が敷き詰められたものである。石板１３の上面から赤外線を輻射させるためにそれを加熱する発熱器１２が、石板１３の下に埋め込まれている。寝台１１の四隅は脚で支えられている。発熱器１２に接続されてそれの加熱温度を印加電圧で制御する発熱制御器１６が、寝台１１の下面に、取り付けられている。発熱器１２の下側に、スピーカーである発振器１８が石板１３に接するように配置されている。発振器１８に接続されてそれの発振周波数及び強度を制御する発振制御器１７ｂが、寝台１１の下面に、取り付けられている。略半円筒状の内側保温フード１４ａとそれを取り囲むようにそれよりやや大きな外側保温フード１４ｂとが、寝台１１を、覆っている。外側保温フード１４ｂの下端に、スライドできるようにローラー（不図示）が取り付けられている。各保温フード１４ａ・１４ｂの内面天井に、ライトである別な発振器１５ａ・１５ｂが取り付けられている。発振器１５ａ・１５ｂに接続されてそれの発振周波数及び発振強度を制御する発振制御器１７ａが、寝台１１の下面に取り付けられている。内側保温フード１４ａの下側一端が、開閉可能に、寝台１１に軸止されている。なお石板１３は、天然鉱石の岩盤から切り出した石板であってもそれの小石を含ませて無機物や有機物で固めた人工板であってもよく、又セラミックス板のような陶器板であってもよい。
【００１８】
図２に、発熱制御器１６のブロック回路図を示す。
【００１９】
発熱制御器１６の前面操作部に設けられた加熱温度選択スイッチ２１が、電圧制御回路２２の入力に接続され、その回路２２の出力が発熱器１２に接続されている。
【００２０】
図３に、発振制御器１７ａのブロック回路図を示す。
【００２１】
発振制御器１７ａの前面操作部に設けられた発振周波数選択スイッチ３１と発振強度選択スイッチ３２と調和信号読出スイッチ３４とが、制御部３３の入力に接続されている。制御部３３の出力に接続された信号生成部３６に、外付け不揮発メモリである調和信号メモリ３５の出力が接続されている。信号生成部３６の出力が、信号変換器３７を経て発振器１５に接続されている。
【００２２】
同様に別な発振制御器１７ｂも同様な構成で、スピーカーである発振器１８へ繋がっている。このスピーカーに繋がる発振制御器１７ｂを例により具体的に説明する。信号生成部３６は、一例として、Ａ／Ｄ（アナログ／ディジタル）変換器、Ｄ／Ａ（ディジタル／アナログ）変換器および内蔵不揮発性メモリ（何れも不図示）、必要に応じて合波回路で構成される。制御部３３の制御に従い、調和信号メモリ３５の端子から入力する音の周波数帯域の電気的なアナログ信号（音波信号）をディジタル信号に変換して内蔵不揮発性メモリに記憶し、このディジタル信号をアナログ信号に再生し音波信号を信号変換器３７で生成して、発振器１８に出力する構成となっている。この場合、信号生成部３６は、複数の音波信号（一例として、３種類の信号）を録音再生可能に構成されている。
【００２３】
なお、調和信号メモリ３５には、疲労回復効果を奏する音波信号、例えば特許文献１に記載されている調和信号の内、疲労回復に効果の有る組合せ、精神安定効果を奏する音波信号、例えばクラシック音楽や美容効果を奏する音波信号、例えば特許文献２に記載されている調和信号の内、美容に効果の有る複数の周波数の組合せ、より具体的には３種類の音波信号が予め書き込まれている。
【００２４】
このような調和信号は、患部や筋肉疲労部等の身体２の部位に応じた適当な周波数の複数のディジタル信号を、信号生成部３６のＤ／Ａ変換器でアナログ信号に変換した後、合波回路で一つの調和信号に合成されたものである。
【００２５】
調和信号メモリ３５は、書換え可能な記録媒体、例えばＦＤ（フレキシブルディスク）、ＣＤ（コンパクトディスク）、ＤＶＤ(ディジタル多用途ディスク)、ＭＯ（光磁気ディスク）、フラッシュメモリ、パーソナルコンピュータ内蔵ＨＤ（ハードディスク）であってもよい。
【００２６】
発振器は、一例としてスピーカーであり、電気的な信号を機械的な振動に変換する。すなわち、信号生成部３６から出力される電気的な音波信号を機械的な振動に変換して音波振動を発生する。発振器は、電波発振アンテナ、電磁波発振コイル、近赤外線ヒータ、中赤外線ヒータ、遠赤外線ヒータ、蛍光灯のようなランプ、紫外線ランプ、診療用のＸ線・陽子線・中性子線の発生器であってもよい。
【００２７】
この岩盤浴装置１は、図１を参照しながら説明すると、次のようにして使用される。
【００２８】
保温フード１４ａ・１４ｂが立って開いた寝台１１の石板１３上に、岩盤浴をする客が仰向けに寝る。保温フード１４ａ・１４ｂを倒す。外側保温フード１４ｂをスライドさせて、この者を囲うように被せる。首乃至肩と外側保温フード１４ｂとの隙間に、タオル等の布（不図示）を掛けて塞ぐ。
【００２９】
先ず、発熱制御器１６の前面操作部に設けられた加熱温度選択スイッチ２１で、所望の加熱温度を選択すると、その選択信号が電圧制御回路２２に入力され、その選択信号に応じて電圧を電圧制御回路２２から発熱器１２へ出力する。すると発熱器１２の電熱線が加熱され、それによって石板１３が４０〜４５℃程度に暖められ、石板１３の上面から、近赤外線・中赤外線・遠赤外線、又は石板素材によっては別な電磁波が輻射され、この者を暖める（図２参照）。
【００３０】
予め、客の身体２の患部や筋肉疲労部などの部位に応じた適当な周波数の複数のディジタル信号データ、例えば４０〜１６０００Ｈｚの音波の周波数帯域の電気的なアナログ信号をディジタル信号に変換して、調和信号メモリ３５であるＣＤにディジタル信号のデータとして記録しておく。発振制御器１７ｂの前面操作部に設けられたＣＤドライブにこのＣＤを入れる。調和信号読出スイッチ３４で、所望の調和信号の読出しを選択すると、その選択信号が制御部３３から信号生成部３６に入力される。それに応じて、調和信号メモリ３５から指定のディジタル信号が、読出され、内蔵不揮発性メモリに記憶され、アナログ信号に再生されて、音波信号を生成する。その複数の音波信号を信号変換器３７で合波して調和信号にして、スピーカーである発振器１８に出力し（図３参照）、調和信号が音波となって石板１３を振動させる。なお、調和信号を用いず、単一周波数の音波を発振する場合には、発振周波数選択スイッチ３１と発振強度選択スイッチ３２とで所望の音波を選択する。
【００３１】
一方、発振制御器１７ａの前面操作部に設けられた発振周波数選択スイッチ３１と発振強度選択スイッチ３２とで、保温フード１４ａ・１４ｂ内のランプである発振器１５ａ・１５ｂで所望の周波数と照射強度とを選択すると、その選択信号が制御部３３から信号生成部３６に入力される。それに応じて、信号生成部３６が、発振器１５ａ・１５ｂから照射すべき光に必要な電圧の信号を出力し、信号変換器３７で所要の電圧を印加して、ランプで光を、客の身体２に照射する。なお、調和信号メモリ３５から複数の照射周波数の電磁波を発振する場合には、調和信号読出スイッチ３４で所望の電磁波の調和信号を選択する。
【００３２】
石板１３の下に電磁場を発生する磁場発生器（不図示）が取り付けられていてもよい。
【００３３】
この岩盤浴装置を用いると、短時間に十分に発汗し、健康増進したり心身を癒したりできる温熱効果を奏し、更に特定の周波数の電磁波や音波の発振又は磁場の曝露による治療効果を奏する。
【産業上の利用可能性】
【００３４】
本発明の岩盤浴装置は、リフレッシュ乃至健康増進のための発汗等の温熱と、電磁波や音波振動による治療や予防とを同時に行うために有用である。
【図面の簡単な説明】
【００３５】
【図１】本発明を適用する岩盤浴装置の使用途中を示す側面図である。
【図２】本発明を適用する岩盤浴装置中の発熱制御器のブロック回路図である。
【図３】本発明を適用する岩盤浴装置中の発振制御器のブロック回路図である。
【符号の説明】
【００３６】
１は岩盤浴装置、２は身体、１１は寝台、１２は発熱器、１３は石板又は陶器板、１４・１４ａ・１４ｂは保温フード、１５・１５ａ・１５ｂは発振器、１６は発熱制御器、１７ａ・１７ｂは発振制御器、１８は発振器、２１は加熱温度選択スイッチ、２２は電圧制御回路、３１は発振周波数選択スイッチ、３２は発振強度選択スイッチ、３３は制御部、３４は調和信号読出スイッチ、３５は調和信号メモリ、３６は信号生成部、３７は信号変換器である。
【図１】
2008188227.tif 000003
【図２】
2008188227.tif 000004
【図３】
2008188227.tif 000005